【手続補正書】
【提出日】平成26年2月27日(2014.2.27)
【手続補正１】
【補正対象書類名】明細書
【補正対象項目名】発明の名称
【補正方法】変更
【補正の内容】
【発明の名称】アクティブマトリックス型表示装置
【手続補正２】
【補正対象書類名】特許請求の範囲
【補正対象項目名】全文
【補正方法】変更
【補正の内容】
【特許請求の範囲】
【請求項１】
第１の基板と、
前記第１の基板上の、第１の方向に延在する第１の配線と、
前記第１の基板上の、前記第１の方向に延在する第２の配線と、
前記第１の基板上の第１のダミー配線と、
前記第１の基板上の第２のダミー配線と、
前記第１の基板と対向する第２の基板と、
前記第１の基板と前記第２の基板との間のシール材と、を有し、
前記第１の配線、前記第２の配線、前記第１のダミー配線、及び前記第２のダミー配線は、同一の出発膜から形成されたものであり、
前記第１の基板は、前記第１の方向と交差する第２の方向に延在する第１の辺を有し、
前記シール材は、前記第１の辺に沿って設けられた第１の領域を有し、
前記第１のダミー配線は、前記第１の領域と重なる領域を有し、
前記第２のダミー配線は、前記第１の領域と重なる領域を有し、
前記第２の方向における前記第１のダミー配線の一端から他端までの距離は、前記第２の方向における前記第１の配線と前記第２の配線との間の距離よりも長く、
前記第２の方向における前記第２のダミー配線の一端から他端までの距離は、前記第２の方向における前記第１の配線と前記第２の配線との間の距離よりも長く、
前記第１のダミー配線の上面及び側面は、第１の絶縁物に覆われており、
前記第２のダミー配線の上面及び側面は、前記第１の絶縁物に覆われており、
前記第１のダミー配線の底面及び前記第２のダミー配線の底面は、第２の絶縁物と接している特徴とするアクティブマトリックス型表示装置。
【請求項２】
第１の基板と、
前記第１の基板上の、第１の方向に延在する第１の配線と、
前記第１の基板上の、前記第１の方向に延在する第２の配線と、
前記第１の基板上の第１のダミー配線と、
前記第１の基板上の第２のダミー配線と、
前記第１の基板と対向する第２の基板と、
前記第１の基板と前記第２の基板との間のシール材と、を有し、
前記第１の配線、前記第２の配線、前記第１のダミー配線、及び前記第２のダミー配線は、同一の出発膜から形成されたものであり、
前記第１の基板は、前記第１の方向と交差する第２の方向に延在する第１の辺を有し、
前記シール材は、前記第１の辺に沿って設けられた第１の領域を有し、
前記第１のダミー配線は、前記第１の領域と重なる領域を有し、
前記第２のダミー配線は、前記第１の領域と重なる領域を有し、
前記第２の方向における前記第１のダミー配線の一端から他端までの距離は、前記第２の方向における前記第１の配線と前記第２の配線との間の距離よりも長く、
前記第２の方向における前記第２のダミー配線の一端から他端までの距離は、前記第２の方向における前記第１の配線と前記第２の配線との距離よりも長く、
前記第１の方向における前記第１のダミー配線の一端から他端までの距離は、前記第１の方向における前記第１の領域の一端から他端までの距離よりも長く、
前記第１の方向における前記第２のダミー配線の一端から他端までの距離は、前記第１の方向における前記第１の領域の一端から他端までの距離よりも長く、
前記第１のダミー配線の上面及び側面は、第１の絶縁物に覆われており、
前記第２のダミー配線の上面及び側面は、前記第１の絶縁物に覆われており、
前記第１のダミー配線の底面及び前記第２のダミー配線の底面は、第２の絶縁物と接していることを特徴とするアクティブマトリックス型表示装置。
【請求項３】
第１の基板と、
前記第１の基板上の、第１の方向に延在する第１の配線と、
前記第１の基板上の、前記第１の方向に延在する第２の配線と、
前記第１の基板上の第１のダミー配線と、
前記第１の基板上の第２のダミー配線と、
前記第１の基板と対向する第２の基板と、
前記第１の基板と前記第２の基板との間のシール材と、を有し、
前記第１の配線、前記第２の配線、前記第１のダミー配線、及び前記第２のダミー配線は、同一の出発膜から形成されたものであり、
前記第１の基板は、前記第１の方向と交差する第２の方向に延在する第１の辺を有し、
前記シール材は、前記第１の辺に沿って設けられた第１の領域を有し、
前記第２の方向における前記第１のダミー配線の一端から他端までの距離は、前記第２の方向における前記第１の配線と前記第２の配線との間の距離よりも長く、
前記第２の方向における前記第２のダミー配線の一端から他端までの距離は、前記第２の方向における前記第１の配線と前記第２の配線との間の距離よりも長く、
前記第１のダミー配線は、
第１の部分と、
前記第１の部分よりも前記第１の辺に近接し、且つ前記第１の部分よりも前記第２のダミー配線に近接する第２の部分と、を有し、
前記第２のダミー配線は、
第３の部分と、
前記第３の部分よりも前記第１の辺に近接し、且つ前記第３の部分よりも前記第１のダミー配線に近接する第４の部分と、を有し、
前記第１の部分は、前記第３の部分から見て前記第２の方向に配置され、
前記第２の部分は、前記第４の部分から見て前記第２の方向に配置され、
前記第１の部分、前記第２の部分、前記第３の部分、及び前記第４の部分は、前記第１の領域と重なり、
前記第１のダミー配線の上面及び側面は、第１の絶縁物に覆われており、
前記第２のダミー配線の上面及び側面は、前記第１の絶縁物に覆われており、
前記第１のダミー配線の底面及び前記第２のダミー配線の底面は、第２の絶縁物と接していることを特徴とするアクティブマトリックス型表示装置。
【請求項４】
第１の基板と、
前記第１の基板上の、第１の方向に延在する第１の配線と、
前記第１の基板上の、前記第１の方向に延在する第２の配線と、
前記第１の基板上の第１のダミー配線と、
前記第１の基板上の第２のダミー配線と、
前記第１の基板と対向する第２の基板と、
前記第１の基板と前記第２の基板との間のシール材と、を有し、
前記第１の配線、前記第２の配線、前記第１のダミー配線、及び前記第２のダミー配線は、同一の出発膜から形成されたものであり、
前記第１の基板は、前記第１の方向と交差する第２の方向に延在する第１の辺を有し、
前記シール材は、前記第１の辺に沿って設けられた第１の領域を有し、
前記第２の方向における前記第１のダミー配線の一端から他端までの距離は、前記第２の方向における前記第１の配線と前記第２の配線との間の距離よりも長く、
前記第２の方向における前記第２のダミー配線の一端から他端までの距離は、前記第２の方向における前記第１の配線と前記第２の配線との間の距離よりも長く、
前記第１の方向における前記第１のダミー配線の一端から他端までの距離は、前記第１の方向における前記第１の領域の一端から他端までの距離よりも長く、
前記第１の方向における前記第２のダミー配線の一端から他端までの距離は、前記第１の方向における前記第１の領域の一端から他端までの距離よりも長く、
前記第１のダミー配線は、
第１の部分と、
前記第１の部分よりも前記第１の辺に近接し、且つ前記第１の部分よりも前記第２のダミー配線に近接する第２の部分と、を有し、
前記第２のダミー配線は、
第３の部分と、
前記第３の部分よりも前記第１の辺に近接し、且つ前記第３の部分よりも前記第１のダミー配線に近接する第４の部分と、を有し、
前記第１の部分は、前記第３の部分から見て前記第２の方向に配置され、
前記第２の部分は、前記第４の部分から見て前記第２の方向に配置され、
前記第１の部分、前記第２の部分、前記第３の部分、及び前記第４の部分は、前記第１の領域と重なり、
前記第１のダミー配線の上面及び側面は、第１の絶縁物に覆われており、
前記第２のダミー配線の上面及び側面は、前記第１の絶縁物に覆われており、
前記第１のダミー配線の底面及び前記第２のダミー配線の底面は、第２の絶縁物と接していることを特徴とするアクティブマトリックス型表示装置。
【請求項５】
請求項１乃至請求項４のいずれか一項において、
前記第１のダミー配線及び前記第２のダミー配線は、半導体膜及び導電膜のいずれとも接さず且つ重ならないことを特徴とするアクティブマトリックス型表示装置。
【請求項６】
請求項１乃至請求項５のいずれか一項において、
前記第１の基板上の、前記第１の方向に延在する第３の配線と、
前記第１の基板上の、前記第１の方向に延在する第４の配線と、を有し、
前記第３の配線及び前記第４の配線は、前記同一の出発膜から形成されたものであり、
前記第１の基板は、前記第１の方向に延在する第２の辺と、前記第１の方向に延在する第３の辺とを有し、
前記第３の配線は、前記第１の配線及び前記第２の配線よりも前記第２の辺に近接し、
前記第４の配線は、前記第１の配線及び前記第２の配線よりも前記第３の辺に近接し、
前記第１のダミー配線及び前記第２のダミー配線は、前記第３の配線の仮想の延長線と、前記第４の配線の仮想の延長線との間に設けられていることを特徴とするアクティブマトリックス型表示装置。
【請求項７】
請求項１乃至請求項６のいずれか一項において、
前記第１のダミー配線及び前記第２のダミー配線は、積層構造であることを特徴とするアクティブマトリックス型表示装置。